(57)【要約】      （修正有）【課題】近距離無線通信（ＮＦＣ）システムにおける、信号の復調を適切に行う。【解決手段】ＩＣ（集積回路）内にトリムデータとして記憶したファクトリ測定のＲＳＳＩ値を使用することにより、このＩＣにより生ぜしめられた位相オフセットを補償する。最終的なカスタマーの製品では、トリムデータが実際のプラットフォーム環境にマッピングされ、それぞれの位相オフセットを補償しうる。【選択図】図６
2018038034.tif 000002
【特許請求の範囲】
【請求項１】
誘導結合を介して通信する通信デバイスに対して位相オフセットを決定し適用する位相オフセット決定適用方法において、この位相オフセット決定適用方法が、
前記通信デバイスに対する受信信号強度インジケータ（ＲＳＳＩ）値を測定するステップと、
プラットフォーム特有のマッピングテーブルを用いて、前記通信デバイスに対し測定した前記ＲＳＳＩ値に相当する位相トリムのインデックスを決定するステップと、
リファレンス位相トリムデータを用いて前記位相トリムのインデックスに相当する位相オフセットを決定するステップと、
この位相オフセットを前記通信デバイスに適用するステップと
を具える位相オフセット決定適用方法。
【請求項２】
請求項１に記載の位相オフセット決定適用方法において、前記リファレンス位相トリムデータにより各々の位相オフセットを各々の独自のインデックスにマッピングする位相オフセット決定適用方法。
【請求項３】
請求項２に記載の位相オフセット決定適用方法において、前記リファレンス位相トリムデータを各々の個々の通信デバイスに対して測定するとともに記憶させ、これらの各々の個々の通信デバイスがその独自の個々のリファレンス位相トリムデータを有するようにする位相オフセット決定適用方法。
【請求項４】
請求項１に記載の位相オフセット決定適用方法において、前記プラットフォーム特有のマッピングテーブルにより各々のＲＳＳＩ値を位相トリムの各々の独自のインデックスにマッピングする位相オフセット決定適用方法。
【請求項５】
請求項４に記載の位相オフセット決定適用方法において、前記プラットフォーム特有のマッピングテーブルを同じ種類の通信デバイスに属する全ての通信デバイスに対して同じとし、同じ種類の通信デバイスに属する各々の個々の通信デバイスはその独自の個々のプラットフォーム特有のマッピングテーブルを有さないようにする位相オフセット決定適用方法。
【請求項６】
請求項１に記載の位相オフセット決定適用方法において、前記リファレンス位相トリムデータを、ユーザにとってアクセスできない保護されたメモリエリア内に記憶する位相オフセット決定適用方法。
【請求項７】
請求項６に記載の位相オフセット決定適用方法において、前記ユーザをカスタマーとする位相オフセット決定適用方法。
【請求項８】
請求項１に記載の位相オフセット決定適用方法において、前記プラットフォーム特有のマッピングテーブルを、ユーザにとってアクセスしうるオープンメモリエリア内に記憶する位相オフセット決定適用方法。
【請求項９】
請求項１に記載の位相オフセット決定適用方法において、この位相オフセット決定適用方法が更に、
ＴＸ（送信機）の位相設定を決定するステップと、
カスタマーの位相オフセットを決定するステップと、
前記位相オフセットと、前記ＴＸ（送信機）の位相設定と、前記カスタマーの位相オフセットとを前記通信デバイスに適用するステップと
を具えている位相オフセット決定適用方法。
【請求項１０】
請求項９に記載の位相オフセット決定適用方法において、
前記ＴＸ（送信機）の位相設定を、ＲＸ（受信機）で検出された位相を参照するＴＸ（送信機）に対して用いる位相設定とし、
前記カスタマーの位相オフセットを、マッチング回路網及びアンテナによるカスタマーボードの部分毎の変化を考慮した位相オフセットとする
位相オフセット決定適用方法。
【請求項１１】
請求項１０に記載の位相オフセット決定適用方法において、前記カスタマーの位相オフセットを、カスタマーの製造試験において一旦評価された静的値とする位相オフセット決定適用方法。
【請求項１２】
誘導結合を介して通信する通信デバイスに対して位相オフセットを決定し適用する位相オフセット決定適用方法において、この位相オフセット決定適用方法が、
前記通信デバイスに対する受信信号強度インジケータ（ＲＳＳＩ）値を測定するステップと、
プラットフォーム特有のマッピング関数を用いて、前記通信デバイスに対し測定した前記ＲＳＳＩ値に相当する位相トリムの変数を決定するステップと、
リファレンス位相トリムデータを用いて前記位相トリムの変数に相当する位相オフセットを決定するステップと、
この位相オフセットを前記通信デバイスに適用するステップと
を具える位相オフセット決定適用方法。
【請求項１３】
請求項１２に記載の位相オフセット決定適用方法において、前記リファレンス位相トリムデータにより各々の位相オフセットを各々の独自の変数にマッピングする位相オフセット決定適用方法。
【請求項１４】
請求項１３に記載の位相オフセット決定適用方法において、前記リファレンス位相トリムデータを各々の個々の通信デバイスに対して測定するとともに記憶させ、これらの各々の個々の通信デバイスがその独自の個々のリファレンス位相トリムデータを有するようにする位相オフセット決定適用方法。
【請求項１５】
請求項１２に記載の位相オフセット決定適用方法において、前記プラットフォーム特有のマッピング関数により各々のＲＳＳＩ値を位相トリムの各々の独自の変数にマッピングする位相オフセット決定適用方法。
【請求項１６】
請求項１５に記載の位相オフセット決定適用方法において、前記プラットフォーム特有のマッピング関数を同じ種類の通信デバイスに属する全ての通信デバイスに対して同じとし、同じ種類の通信デバイスに属する各々の個々の通信デバイスはその独自の個々のプラットフォーム特有のマッピング関数を有さないようにする位相オフセット決定適用方法。
【請求項１７】
請求項１２に記載の位相オフセット決定適用方法において、前記リファレンス位相トリムデータを、ユーザにとってアクセスできない保護されたメモリエリア内に記憶する位相オフセット決定適用方法。
【請求項１８】
請求項１２に記載の位相オフセット決定適用方法において、前記プラットフォーム特有のマッピング関数を、ユーザにとってアクセスしうるオープンメモリエリア内に記憶する位相オフセット決定適用方法。
【請求項１９】
誘導結合を介して通信する通信デバイスに対して位相オフセットを決定し適用する位相オフセット決定適用方法において、この位相オフセット決定適用方法が、
前記通信デバイスに対する特性パラメータを測定するステップと、
プラットフォーム特有のマッピングテーブル又は関数を用いて、前記通信デバイスに対し測定した前記特性パラメータに相当する位相トリムのインデックス又は変数を決定するステップと、
リファレンス位相トリムデータを用いて前記位相トリムのインデックス又は変数に相当する位相オフセットを決定するステップと、
この位相オフセットを前記通信デバイスに適用するステップと
を具える位相オフセット決定適用方法。
【請求項２０】
請求項１９に記載の位相オフセット決定適用方法において、前記特性パラメータを、受信した受信信号強度インジケータ（ＲＳＳＩ）値とし、このＲＳＳＩ値が誘導結合の磁界強度に相当するようにする位相オフセット決定適用方法。
【発明の詳細な説明】
【技術分野】
【０００１】
本発明は、概して近距離無線通信（ＮＦＣ）システムにおける位相キャリブレート（位相調整）方法及びシステムに関するものであり、特に近距離無線通信（ＮＦＣ）システムにおけるファクトリトリム（factory trim）データにより裏付けした位相キャリブレート方法及びシステムに関するものである。
【背景技術】
【０００２】
近距離無線通信（ＮＦＣ）は、非接触決済システム、セキュリティアクセスシステム、等のような分野で一般的に使用されるようになってきている。代表的なＮＦＣに基づくシステムは、ＮＦＣ読取器（例えば、ＰＯＳ（Point Of Sale ）端末）と、ＮＦＣデバイス、代表的にＮＦＣ使用可能（イネーブルド）カード又は携帯電話機とより成っている。
【０００３】
更に、ＮＦＣデバイスは代表的に、パッシブ負荷変調（ＰＬＭ）又はアクティブ負荷変調（ＡＬＭ）の何れかに対するように構成しうる。ＡＬＭは代表的にＰＬＭよりも複雑であるが、ＡＬＭを構成する素子はＰＬＭの場合よりもコンパクトにできるとともに、トランスポンダは、読取器により生ぜしめられる磁界を変調するだけでなく磁界を発生させる電源を用いる為に、ＡＬＭトランスポンダはＰＬＭトランスポンダよりも通信距離を長くすることができる。
【０００４】
ＮＦＣ使用可能デバイス及びＮＦＣ読取器を用いるトランザクションを実行するためには、ＮＦＣ使用可能デバイスをＮＦＣ読取器に近づける。ＮＦＣ読取器がＮＦＣ使用可能デバイスからの信号を適切に復調し損なうと、ＮＦＣ使用可能デバイスとＮＦＣ読取器との間の通信が失敗するおそれがある。このような失敗は、ＮＦＣ使用可能デバイスがＮＦＣ読取器と適切に整列しないか又はＮＦＣ使用可能デバイスがＮＦＣ読取器からのある距離範囲内にない場合に生じるおそれがある。
【０００５】
このような失敗及びその他の問題点は、ＮＦＣ使用可能デバイスにおけるアクティブ負荷変調（ＡＬＭ）に対する位相をチューニングすれば著しく低減させることができる。更に、製造試験（プロダクションテスト）及び処理中に位相をキャリブレート（調整）しうるようにする必要がある。従って、ファクトリトリムデータにより裏付けした位相キャリブレート方法及びシステムを提供するのが望ましい。
【発明の概要】
【０００６】
本発明は、ＩＣ（集積回路）内にトリムデータとして記憶したファクトリ測定を使用することにより、このＩＣにより生ぜしめられた位相オフセットを補償する方法及びシステムを提供する。最終的なカスタマー（顧客）の製品では、トリムデータが実際のプラットフォーム環境にマッピングされ、それぞれの位相オフセットを補償しうるようになっている。
【０００７】
本発明の重要な点は、人為的な（仮想の）プラットフォーム及び人為的な（仮想の）パラメータのそれぞれの組を参照するトリムデータを形成し記憶することである。実際のキャリブレーション（調整）をカスタマー環境において適用する場合、仮想のトリムコードに対する実際の且つ現存するシステムプラットフォームパラメータの有効且つ簡単なスケーリングを（例えば、スケーリング処理により）適用する必要がある。
【０００８】
本発明は、誘導結合を介して通信する通信デバイスに対して位相オフセットを決定し適用する位相オフセット決定適用方法であって、（ａ）前記通信デバイスに対する受信信号強度インジケータ（ＲＳＳＩ）値を測定するステップと、（ｂ）プラットフォーム特有のマッピングテーブルを用いて、前記通信デバイスに対し測定した前記ＲＳＳＩ値に相当する位相トリムのインデックスを決定するステップと、（ｃ）リファレンス位相トリムデータを用いて前記位相トリムのインデックスに相当する位相オフセットを決定するステップと、（ｄ）この位相オフセットを前記通信デバイスに適用するステップと、を具える位相オフセット決定適用方法を提供する。
【０００９】
ある例では、前記リファレンス位相トリムデータにより各々の位相オフセットを各々の独自のインデックスにマッピングするようにする。
【００１０】
ある例では、前記リファレンス位相トリムデータを各々の個々の通信デバイスに対して測定するとともに記憶させ、これらの各々の個々の通信デバイスがその独自の個々のリファレンス位相トリムデータを有するようにする。
【００１１】
ある例では、前記プラットフォーム特有のマッピングテーブルにより各々のＲＳＳＩ値を位相トリムの各々の独自のインデックスにマッピングするようにする。
【００１２】
ある例では、前記プラットフォーム特有のマッピングテーブルを同じ種類の通信デバイスに属する全ての通信デバイスに対して同じとし、同じ種類の通信デバイスに属する各々の個々の通信デバイスはその独自の個々のプラットフォーム特有のマッピングテーブルを有さないようにする。
【００１３】
ある例では、前記リファレンス位相トリムデータを、ユーザにとってアクセスできない保護されたメモリエリア内に記憶するようにする。
【００１４】
ある例では、前記ユーザをカスタマーとする。
【００１５】
ある例では、前記プラットフォーム特有のマッピングテーブルを、ユーザにとってアクセスしうるオープンメモリエリア内に記憶するようにする。
【００１６】
ある例では、位相オフセット決定適用方法が更に、（ｅ）ＴＸ（送信機）の位相設定を決定するステップと、（ｆ）カスタマーの位相オフセットを決定するステップと、（ｇ）前記位相オフセットと、前記ＴＸ（送信機）の位相設定と、前記カスタマーの位相オフセットとを前記通信デバイスに適用するステップとを具えるようにする。
【００１７】
ある例では、前記ＴＸ（送信機）の位相設定を、ＲＸ（受信機）で検出された位相を参照するＴＸ（送信機）に対して用いる位相設定とし、前記カスタマーの位相オフセットを、マッチング回路網及びアンテナによるカスタマーボードの部分毎の変化を考慮した位相オフセットとする。
【００１８】
ある例では、前記カスタマーの位相オフセットを、カスタマーの製造試験において一旦評価された静的値とする。
【００１９】
本発明は、誘導結合を介して通信する通信デバイスに対して位相オフセットを決定し適用する位相オフセット決定適用方法であって、（ａ）前記通信デバイスに対する受信信号強度インジケータ（ＲＳＳＩ）値を測定するステップと、（ｂ）プラットフォーム特有のマッピング関数を用いて、前記通信デバイスに対し測定した前記ＲＳＳＩ値に相当する位相トリムの変数を決定するステップと、（ｃ）リファレンス位相トリムデータを用いて前記位相トリムの変数に相当する位相オフセットを決定するステップと、（ｄ）この位相オフセットを前記通信デバイスに適用するステップと、を具える位相オフセット決定適用方法をも提供する。
【００２０】
ある例では、前記リファレンス位相トリムデータにより各々の位相オフセットを各々の独自の変数にマッピングするようにする。
【００２１】
ある例では、前記リファレンス位相トリムデータを各々の個々の通信デバイスに対して測定するとともに記憶させ、これらの各々の個々の通信デバイスがその独自の個々のリファレンス位相トリムデータを有するようにする。
【００２２】
ある例では、前記プラットフォーム特有のマッピング関数により各々のＲＳＳＩ値を位相トリムの各々の独自の変数にマッピングするようにする。
【００２３】
ある例では、前記プラットフォーム特有のマッピング関数を同じ種類の通信デバイスに属する全ての通信デバイスに対して同じとし、同じ種類の通信デバイスに属する各々の個々の通信デバイスはその独自の個々のプラットフォーム特有のマッピング関数を有さないようにする。
【００２４】
ある例では、前記リファレンス位相トリムデータを、ユーザにとってアクセスできない保護されたメモリエリア内に記憶するようにする。
【００２５】
ある例では、前記プラットフォーム特有のマッピング関数を、ユーザにとってアクセスしうるオープンメモリエリア内に記憶するようにする。
【００２６】
本発明は更に、誘導結合を介して通信する通信デバイスに対して位相オフセットを決定し適用する位相オフセット決定適用方法であって、（ａ）前記通信デバイスに対する特性パラメータを測定するステップと、（ｂ）プラットフォーム特有のマッピングテーブル又は関数を用いて、前記通信デバイスに対し測定した前記特性パラメータに相当する位相トリムのインデックス又は変数を決定するステップと、（ｃ）リファレンス位相トリムデータを用いて前記位相トリムのインデックス又は変数に相当する位相オフセットを決定するステップと、（ｄ）この位相オフセットを前記通信デバイスに適用するステップと、を具える位相オフセット決定適用方法をも提供する。
【００２７】
ある例では、前記特性パラメータを、受信した受信信号強度インジケータ（ＲＳＳＩ）値とし、このＲＳＳＩ値が誘導結合の磁界強度に相当するようにする。
【００２８】
本発明は、誘導結合を介して通信する通信デバイスに対して位相オフセットを決定し適用する持続性コンピュータ可読媒体において符号化されたコンピュータプログラム製品であって、（ａ）前記通信デバイスに対する特性パラメータを測定するためのコンピュータコードと、（ｂ）プラットフォーム特有のマッピングテーブル又は関数を用いて、前記通信デバイスに対し測定した前記特性パラメータに相当する位相トリムのインデックス又は変数を決定するようにするためのコンピュータコードと、（ｃ）リファレンス位相トリムデータを用いて前記位相トリムのインデックス又は変数に相当する位相オフセットを決定するためのコンピュータコードと、（ｄ）この位相オフセットを前記通信デバイスに適用するためのコンピュータコードと、を有するコンピュータプログラム製品をも提供する。
【００２９】
上述した概要は、現在の又は今後の特許請求の範囲内のあらゆる実例を表すことを意図するものではない。他の実例は、以下の図面及び詳細な説明において開示する。
【００３０】
開示する実例及びその利点は、添付図面と関連して行う以下の説明を参照することにより最も良好に理解しうるものである。これらの図面は、開示した実例の精神及び範囲から逸脱することなく、開示した実例に対し当業者により行い得る形態及び細部における如何なる変更をも決して制限するものではない。
【図面の簡単な説明】
【００３１】
【図１】図１は、本発明のある例示的実施例による、種々の誘導結合状態の下での通信デバイスの負荷変調振幅対位相例の形態を示す線図である。
【図２】図２は、本発明のある例示的実施例による、Ｉ／Ｑミキサ、増幅器、フィルタリング素子、Ａ／Ｄ（アナログ‐デジタル）変換器及びベースバンドにおける信号復調器を有する代表的な受信機を示すブロック線図である。
【図３】図３は、本発明のある例示的実施例による、位相計算方法の概略を提供するブロック線図である。
【図４】図４は、本発明のある例示的実施例による、システム／ＩＣ（集積回路）の位相状態を示す線図である。
【図５】図５は、本発明のある例示的実施例による、それぞれのプラットフォームからの磁界強度（Ｈ）／ＲＳＳＩが不変リファレンス入力にマッピングされた際のシステム／ＩＣ（集積回路）の位相状態を示す線図である。
【図６】図６は、本発明のある例示的実施例による、リファレンス位相トリムデータを用いて位相オフセットを決定する位相計算方法の概略を提供するブロック線図である。
【発明を実施するための形態】
【００３２】
本発明による代表的なデバイス及び方法をこの区分で説明する。これらの例は、開示する実施例を理解する上でのコンテクスト（文脈）及び補佐を加えるだけに提供しているものである。従って、開示する実施例はこれらの特定の細部の幾つか又は全てがない状態で実施しうることは当業者にとって明らかである。他の場合には、開示する実施例を不必要に不明瞭にすることを避けるために、周知の処理工程を説明していない。他の実施例が可能であり、従って以下の例が限定されているものとして解釈されるべきものではない。
【００３３】
以下の詳細な説明では、この説明の一部を成しているとともに開示する実施例に応じた特定の実施例を実例として示している添付図面を参照しているものである。これらの実施例は、当業者が開示する実施例を実行しうるように充分に詳細に開示しているが、本発明はこれらの実施例に限定されるものではなく、他の実施例を用いることができ且つ開示する実施例の精神及び範囲を逸脱することなく変更を施すことができるものである。
【００３４】
アクティブ負荷変調（ＡＬＭ）は、市場におけるあらゆるモバイルＮＦＣソリューションに対する最先端技術である。一実施例では、ＡＬＭは、１３．５６ＭHz信号をType A/B/Fに対する標準規格に応じて変調して能動的に送信するものである。これにより、発生される信号強度に大きな利点を与えるものであり、ＮＦＣ Forum、ＩＳＯ１４４４３、ＥＭＶＣo 、等のような必要とする標準規格を負荷変調振幅パラメータに対して満足させることにより小型のアンテナを使用しうるようにする。
【００３５】
ＡＬＭの全ての場合に対するカード応答に対し専用の初期位相を規定しうる。初期位相の設定は、図１に示すように“１１０”、“１２０”、“１３０”及び“１４０”として示す種々の結合位置に対する負荷変調振幅を最適にするのに用いることができる。図１では、ｘ軸が度で初期位相設定（すなわち、ＴＸＣＷ（送信機搬送波）信号位相に対するＡＬＭの位相）を表すことができる。図１は、幾つかの位相値に対しピークを取る負荷変調振幅を示している。従って、ある実施例では、位相を用いて負荷変調振幅を最適にすることができる。
【００３６】
磁界（及び認証試験）中には振幅に著しく依存する多くのリファレンス通信のカウンターパート、例えば、幾つかのFeliCa（登録商標）読取器（reader）及び旧来の決済端末が存在する。振幅に著しく依存するこれらの読取器の場合、僅かな位相範囲のみがパッシング通信をもたらすことを表すようにすることができる。従って、負荷変調振幅を最適にするように位相を修正することは、これらのカウンターパート（例えば、FeliCa読取器及び旧来の決済端末）と共に使用する上で著しく役立つものとなりうる。
【００３７】
ＮＦＣシステムの送信機（ＴＸ）位相（ＲＸ上で見た読取器の磁界とＴＸにおける搬送波の位相とによる位相関係）は、マルチプルシステムと環境上との双方又は何れか一方のパラメータ／状態（例えば、磁界強度、離調／結合状態、アンテナの形態、ＩＣ（ＰＶＴ）集積回路（処理（Ｐ）、電圧（Ｖ）、温度（Ｔ）））、マッチング回路網（トポロジー、・・・）、プロトコル、データ転送速度、再伝送、再設定、タイミング、アプリケーション、等に依存する。
【００３８】
プラットフォームに対して用いることのできるＴＸ（送信機）位相は、複数の読取器端末との測定キャンペーンにより規定される。全ての読取器に対し（例えば、ＩＯＴ（相互運用試験）認証において規定されるような）パッシング通信を与えるＴＸ位相範囲が存在する。
【００３９】
位相を補償するための主たる課題は、
（１）（ＰＶＴ、入力電圧レベル、等の関数としうる）ＩＣ自体により生ぜしめられる位相オフセットを補償すること（ここで、ＩＣは集積回路を表し、ＰＶＴは処理、電圧及び温度を表すものである。）、
（２）補償を行ないうるように、入力電圧レベルを正確に算定すること、
（３）ＲＳＳＩを用いて相対的な入力電圧レベルを、マッチング回路網、アンテナ、ＲＳＳＩに対するノード、ＲＳＳＩトリム、等のようなプラットフォームパラメータに依存する絶対リファレンスとして定量化しうるようにすること、
である。
【００４０】
ファクトリ（ＡＴＥ）におけるトリムは、それぞれのターゲットカスタマープラットフォームに対して予め行うことができるが、このことにより（各カスタマープラットフォーム当り１つのような）試験プログラムにおいて著しいダイバーシティを直ちに生ぜしめるとともに、ＩＣのＡＴＥ（自動試験装置）の製造試験及び処理のロジスティックスを、不可能ではないまでも困難にするおそれがある。
【００４１】
本発明の重要な点は、人為的な（仮想の）プラットフォーム及び人為的な（仮想の）パラメータのそれぞれの組を参照するトリムデータを形成し記憶することである。実際のキャリブレーションをカスタマー環境において適用する場合、仮想のトリムコードに対する実際の且つ現存するシステムプラットフォームパラメータの有効且つ簡単なスケーリングを（例えば、スケーリング処理により）適用する必要がある。
【００４２】
代表的な受信機の実施例を図２に示す。この受信機２００は、Ｉ／Ｑミキサ２２０、増幅器２３０、フィルタリング素子２４０、Ａ／Ｄ変換器２５０及び信号復調器２６０を有している。この受信機は、Ｉ／Ｑミキサ２２０に対しＲＦ入力２１０を受信するとともに、信号復調器２６０からＢＢ（ベースバンド）出力２７０を発生する。
【００４３】
図３は、本発明のある例示的実施例による、位相計算方法の概略を提供する。最終的にシステムにダイアル（電話接続）するキャリブレートされた位相に対しては幾つかのコントリビュータがある。
【００４４】
初期位相設定３５０は目標とするプログラム化位相である。この位相は絶対位相値である。
【００４５】
カスタマーの位相オフセット３６０は、マッチング回路網、アンテナ、等、基本的には、ＩＣの外部にあり従ってこのパラメータによりこのＩＣに対してのみ知られたコントリビュータによるカスタマーボードの部分毎の変化（part to part variation）を考慮した位相オフセットである。この位相オフセットはカスタマーの製造試験において一旦評価された静的値である。
【００４６】
ＲＳＳＩ３３０は、入力電圧レベルと等価な、動的に測定したメトリック（metric）である。実際の入力電圧の値はプラットフォームパラメータ及びＲＳＳＩトリミングに依存する為、ＲＳＳＩは絶対ＶＲＸ電圧を与えない。入力電圧レベル、従って、ＲＳＳＩ３３０は磁界強度Ｈ（３１０）に依存することを銘記すべきである。
【００４７】
システムスケーリングファクタ３２０は絶対ＶＲＸ電圧に対するプラットフォームＲＳＳＩの補正ファクタである。
【００４８】
重要なステップは、システムスケーリングファクタ３２０によりＲＳＳＩを補正して絶対ＶＲＸに対する評価を行い、従って、これを位相トリムデータ（又はある実施例では位相トリムテーブル）に対するインデックスとして用いることである。従って、位相トリムデータ（又はある実施例では位相トリムテーブル）によりターゲットプラットフォームを独立状態に保つことができ、一方、プラットフォーム依存性はシステムスケーリングにより対処することができる。図３では、位相トリムデータを位相トリムphic（ＲＳＳＩ）３４０として示している。
【００４９】
図４は、システム／ＩＣの位相状態を示しており（本例ではこの位相状態を任意の形状として示している）、この位相状態は実際に入力電圧Ｖinに依存している。しかし、プラットフォーム（例えば、プラットフォーム１、プラットフォーム２、等）上では、入力信号を磁界強度又はＲＳＳＩ又はその他のある特性パラメータにより定量化することができる。図４では、プラットフォーム１に対し、磁界強度をＨ＿１として示し、一方、ＲＳＳＩをＲＳＳＩ＿１として示している。プラットフォーム２に対しては、磁界強度をＨ＿２として示し、一方、ＲＳＳＩをＲＳＳＩ＿２として示している。
【００５０】
図５は、本発明のある例示的実施例による、それぞれのプラットフォームからの磁界強度（Ｈ）／ＲＳＳＩを不変リファレンス入力にマッピングした際のシステム／ＩＣ（集積回路）の位相状態を示している。この図５では、それぞれのプラットフォームｉからの磁界強度（Ｈ＿ｉ）／ＲＳＳＩ（ＲＳＳＩ＿ｉ）／・・・を不変リファレンス入力Ｈ＿ref ／ＲＳＳＩ refにマッピングした。特に、磁界強度Ｈ＿１／ＲＳＳＩ＿１はプラットフォーム１と関連している。磁界強度Ｈ＿２／ＲＳＳＩ＿２はプラットフォーム２と関連している。磁界強度Ｈ＿ref ／ＲＳＳＩ refは不変リファレンスプラットフォームと関連している。換言すれば、図５では、ＩＣ／システムの位相状態は磁界強度／ＲＳＳＩに関して仮想のリファレンススケールを参照しており、従って、これはプラットフォームメトリック（Ｈ、ＲＳＳＩ）がマッピングされた基準として用いられる。
【００５１】
【表１−１】
2018038034.tif 000003
【００５２】
【表１−２】
2018038034.tif 000004
テーブル１Ａ及び１Ｂにおいては、位相オフセットphi_１、phi_２、・・・が実際のプラットフォームに依存する種々の磁界強度／ＲＳＳＩを参照している。テーブル１Ａ及び１Ｂは、補償すべき位相（phi_ｉ）と選択すべきそれぞれのパラメータ（すなわち、テーブル１Ａの場合磁界強度Ｈ及びテーブル１Ｂの場合ＲＳＳＩ）との間のマッピングを示している。これらの値は説明の目的のための例示にすぎないことを銘記すべきである。
【００５３】
重要な点は、マッピングに対する入力（例えば、磁界強度、ＲＳＳＩ）がプラットフォーム毎に且つリファレンスに対して異なっているということである。この変化は、リファレンスに応じて入力パラメータを修正することにより克服することができる。しかし、このことは、柔軟性に欠け、不所望なことである。
【００５４】
【表２】
2018038034.tif 000005
解決策は、テーブル２に示すようなマッピングテーブル（或いは関数）を用いることである。この関数は、入力に対して（本例では磁界強度に関して、他の実施例ではＲＳＳＩにも関して）同じスケールを又は任意のスケールを用いうるようにする。マッピングテーブルの重要な部分は、各プラットフォーム当りのスケールが（タビュラー又は関数）を実際のトリムテーブル（リファレンステーブル）のインデックスにマッピングすることである。
【００５５】
従って、各プラットフォーム当り規定する必要があるマッピングにはもはや如何なる位相データをも含める必要がない。その理由は、このデータはリファレンステーブル内に移動されている為である。従って、リファレンステーブルは、（ＩＣの）ファクトリ試験中にデータが入れられしかもプラットフォーム仕様とは完全に分離され且つ独立するトリムデータテーブルとして見なすことができる。
【００５６】
【表３】
2018038034.tif 000006
情報は以下の順序で発生される。
【００５７】
第１のステップは、テーブル３に示すリファレンスシステムを参照している補償テーブルを発生させることである。このテーブルは、ＡＴＥ（自動試験装置）により試験システムにおいて発生される。ある実施例では、このテーブルを“トリムエリア”、すなわち永続性のある不揮発性メモリ内の保護メモリ内に記憶させることができ、後に変化されないようにする。
【００５８】
【表４】
2018038034.tif 000007
【００５９】
【表５】
2018038034.tif 000008
第２のステップでは、プラットフォームの特定データをテーブル４Ａ又は４Ｂに示すようにプラットフォームの特定テーブルに入れることができ、これらはカスタマーにより変更させることができ、又は少なくとも、特にカスタマーの必要に応じ更新させるようにする。ある実施例では、関係データを“オープン（空き）”メモリエリア内に記憶させるようにする。“オープン”とは、カスタマーがアクセスしうることを意味する。
【００６０】
ある実施例では、テーブルをカスタマーが上書きしうるようにすることができ、このことはプラットフォームにとって特有なこととなる。
【００６１】
ある実施例では、（正しいインデックスを記憶している）テーブルの生成を、スプレッドシートの助けをかりて達成するようにしうる。
【００６２】
テーブル４Ａ及び４Ｂは基本的にテーブル５Ａ及び５Ｂと同等である。唯一の異なる点は、テーブル４Ａ及び４Ｂが磁界強度Ｈを参照しているのに対し、テーブル５Ａ及び５ＢがＲＳＳＩを参照している点である。ある実施例では、テーブル４Ａ及び４Ｂを、主要なデータを含むテーブルとする。又、ある実施例では、テーブル５Ａ及び５Ｂを、適用、使用及び記憶させる重要なテーブルとする。このことは、ＲＳＳＩが測定される特性パラメータであり且つ位相オフセットを決定するのに用いられることに起因するものである。
【００６３】
ある実施例では、テーブル４Ａ及び４Ｂを、（磁界強度Ｈに基づく）プラットフォーム特有のマッピングテーブルとして知られたものとしうる。又、ある実施例では、テーブル５Ａ及び５Ｂを、（ＲＳＳＩに基づく）プラットフォーム特有のマッピングテーブルとして知られたものとしうる。ある実施例では、テーブル４Ａ、４Ｂ、５Ａ及び５Ｂに含まれる情報をプラットフォーム特有のマッピング関数として表すことができる。（図６における位相マッピングphPlatform（ＲＳＳＩ）６８０に相当する）プラットフォーム特有のマッピングテーブルの場合、図６は出力をインデックス６９０とすることを示している。次いで、このインデックス６９０を（図６における位相トリムphRef （ＲＳＳＩ）６４０に相当する）テーブル３に対して用いて対応する“トリム位相（trimmed phase ）”を得るようにする。従って、プラットフォーム特有のマッピングテーブルはインデックスと関連する。プラットフォーム特有のマッピングテーブルの場合、対応する関連は、より一般的には可変のものとする。
【００６４】
図６は、ある例示的な実施例による、リファレンス位相トリムデータを用いて位相オフセットを決定する位相計算方法の概略を提供するためのブロック線図を示している。この図６は、ある例示的な実施例により、位相を計算するために種々の値を如何に組合せうるかを示している。
【００６５】
ここで、図６に示す方法及びシステムを適用する手順の実施例を説明する。
【００６６】
第１のステップでは、ＲＳＳＩ６３０を測定する（又は読取る）。
【００６７】
ＲＳＳＩ６３０は、入力電圧レベルと等価な、動的に測定したメトリックである。実際の入力電圧値はプラットフォームパラメータ及びＲＳＳＩトリミングに依存する為、ＲＳＳＩは絶対ＶＲＸ電圧を与えない。入力電圧レベル、従って、ＲＳＳＩ６３０は磁界強度Ｈ（６１０）に依存し、システムスケーリングファクタ６２０は絶対ＶＲＸ電圧に対するプラットフォームＲＳＳＩの補正ファクタであることを銘記すべきである。
【００６８】
第２のステップでは、テーブル５（すなわち、プラットフォームに依存する５Ａ及び５Ｂ）に進み、インデックス６９０を得る。図６においては、テーブル５が位相マッピングphPlatform（ＲＳＳＩ）６８０により表されている。ある実施例では、テーブル５をプラットフォーム特有のマッピングテーブル又は関数と称しうる。
【００６９】
第３のステップでは、インデックスを有するテーブル３に進み、（ＲＳＳＩと等価な）入力電圧レベルに依存するＩＣ位相オフセットである対応する“トリム位相”を得るようにする。図６では、テーブル３を位相トリムphRef （ＲＳＳＩ）６４０で表している。ある実施例では、テーブル３をリファレンス位相トリムデータ又はリファレンス位相トリムテーブルと称しうる。
【００７０】
第４のステップでは、“トリム位相”を図６に示すように位相全体に適用する。特に、“トリム位相”を初期位相設定６５０及びカスタマー位相オフセット６６０と合成して、最終的にシステムにダイアルされるキャリブレートされた位相６７０を導出するようにする。
【００７１】
本明細書では、細部の選択した組合せに関して代表的な実施例を開示した。しかし、当業者は、これらの細部の他の選択した組合せを有する多くの他の代表的な実施例を実行しうることを理解するであろう。本発明の特許請求の範囲は可能な全ての代表的な実施例を包含するものである。
【００７２】
上述した実施例の種々の態様、具体化、履行又は特徴事項は別々に又は如何なる組合せでも用いることができる。上述した実施例の種々の態様はソフトウェアにより、又はハードウェアにより又はソフトウェア及びハードウェアの組合せにより履行しうる。
【００７３】
上述したところでは、説明の目的で、上述した実施例を十分に理解するように特定の述語を用いた。しかし、上述した実施例を実行する上で特定の細部を必要としないことも当業者にとって明らかである。従って、特定の実施例の上述した説明は、例示的説明のために与えたものである。これらは、網羅的なものでも、上述した実施例を、開示した正確な形態に限定するものでもない。当業者にとって明らかなように、上述した技術を考慮することにより多くの変更及び変形が可能である。
【図１】
2018038034.tif 000009
【図２】
2018038034.tif 000010
【図３】
2018038034.tif 000011
【図４】
2018038034.tif 000012
【図５】
2018038034.tif 000013
【図６】
2018038034.tif 000014
【外国語明細書】
2018038034000001.pdf